(57)【要約】【課題】画像読取装置から後処理装置に搬送される用紙の静電気に起因する後処理の品質の低下を防止することができる画像形成システムを提供する。【解決手段】用紙に画像を形成する画像形成装置３と、画像形成装置３により用紙に形成される画像を読み取る画像読取装置４と、用紙に後処理を行う後処理装置６と、を備える画像形成システム１であって、画像読取装置４に設けられ、用紙が通過する通紙経路７００と、後処理装置６の上流側に配置され、用紙が通紙経路７００を通過することに起因する用紙の静電気を除電する除電装置５と、を備え、除電装置５は、水分及び電荷の少なくとも１つの要素を用紙の表面及び裏面に付与する。【選択図】図１
2018045159.tif 000002
【特許請求の範囲】
【請求項１】
用紙に画像を形成する画像形成装置と、前記画像形成装置により前記用紙に形成される前記画像を読み取る画像読取装置と、前記用紙に後処理を行う後処理装置と、を備える画像形成システムであって、
前記画像読取装置に設けられ、前記用紙が通過する通紙経路と、
前記後処理装置の上流側に配置され、前記用紙が前記通紙経路を通過することに起因する前記用紙の静電気を除電する除電装置と、
を備え、
前記除電装置は、
水分及び電荷の少なくとも１つの要素を前記用紙の表面及び裏面に付与する、
画像形成システム。
【請求項２】
前記除電装置は、
前記画像形成装置から前記後処理装置までの間に配置自在であり、且つ前記水分を前記用紙の表面及び裏面に付与する加湿ユニット、
を備える、
請求項１に記載の画像形成システム。
【請求項３】
前記除電装置は、
前記画像形成装置から前記後処理装置までの間に配置自在であり、且つ前記電荷を前記用紙の表面及び裏面に付与する電荷付与ユニット、
をさらに備え、
前記電荷付与ユニットは、
前記加湿ユニットの上流側に配置されている、
請求項２に記載の画像形成システム。
【請求項４】
前記画像読取装置の上流側且つ前記画像形成装置の下流側に、前記加湿ユニット及び前記電荷付与ユニットのうち何れか一方が配置され、
前記画像読取装置の下流側に、前記加湿ユニット及び前記電荷付与ユニットのうち何れか他方が配置されている、
請求項３に記載の画像形成システム。
【請求項５】
前記画像読取装置の上流側且つ前記画像形成装置の下流側に、前記加湿ユニット及び前記電荷付与ユニットの両方が配置されている、
請求項３に記載の画像形成システム。
【請求項６】
前記画像読取装置の下流側に、前記加湿ユニット及び前記電荷付与ユニットの両方が配置されている、
請求項３に記載の画像形成システム。
【請求項７】
前記画像読取装置は、
前記通紙経路に沿って配置され、前記画像のうち、前記用紙の表裏のうち何れか一方の第１面に形成されている第１画像を読み取る第１のスキャナーと、
前記第１のスキャナーの下流側且つ前記通紙経路に沿って配置され、前記画像のうち、前記用紙の表裏のうち何れか他方の第２面に形成されている第２画像を読み取る第２のスキャナーと、
前記第２のスキャナーの下流側且つ前記通紙経路に沿って配置され、前記第１画像及び前記第２画像のうち何れか一方を測色する測色計と、
を備え、
前記画像形成装置は、
前記第１のスキャナーによる前記第１画像の読取結果、前記第２のスキャナーによる前記第２画像の読取結果、及び前記測色計による前記第１画像及び前記第２画像のうち何れか一方の測色結果に基づき、前記用紙に形成する前記画像の色味を補正する、
請求項１〜６の何れか一項に記載の画像形成システム。
【発明の詳細な説明】
【技術分野】
【０００１】
本発明は、画像形成システムに関する。
【背景技術】
【０００２】
従来、画像形成装置により画像が形成されている用紙は、後処理装置により後処理が行われることがある。しかし、後処理装置に搬送される各用紙は、静電気に起因して互いに貼り付くことがあるため、後処理の品質が低下する恐れがある。
【０００３】
用紙が搬送されるとき、用紙の静電気は、ローラーニップから用紙が分離するときの剥離帯電、ローラーニップが用紙にマイクロスリップすることによる摩擦帯電、又はガイド部材への電荷移動等により発生する。剥離帯電、摩擦帯電、又は電荷移動等は、用紙が通過する温湿度環境、用紙の紙質、用紙のトナー付着量、又はガイド部材の蓄電量等により容易に変化する。また、静電気を帯びている用紙は、用紙表裏面の電位差が大きくなるにつれ、用紙間に働く引力が大きくなる。よって、用紙間の引力により用紙同士が貼り付いている状態で後処理が行われれば、後処理の品質が下がる恐れがある。例えば、用紙先後端を整える整合処理、排紙積載時に用紙の整列性を高める用紙側端整合処理等あり、静電気により整合できない程の用紙間引力が発生した場合、ＪＡＭや用紙ダメージが発生する。したがって、後処理の品質を下げないようにするためには、用紙の静電気を除電するのが望ましい。
【０００４】
そこで、用紙と除電部材とが接触する除電時に除電回路が形成されて静電気を接地に逃がすことにより、用紙の静電気を除電するものが各種提案されている（例えば、特許文献１〜３参照）。
【０００５】
ところで、用紙に形成されている画像の読取結果をフィードバックして画像の色味等を校正するものも各種提案されている（例えば、特許文献４，５参照）。
【先行技術文献】
【特許文献】
【０００６】
【特許文献１】特許第３４７８８１５号公報
【特許文献２】特許第３５８４１４５号公報
【特許文献３】特許第３５２８０４７号公報
【特許文献４】特許第５４８２８２０号公報
【特許文献５】特許第５２７９４４１号公報
【発明の概要】
【発明が解決しようとする課題】
【０００７】
例えば、用紙に形成されている画像の読取結果をフィードバックして画像の色味等を校正するために、画像形成装置と、後処理装置との間に、画像読取装置が配置されている場合がある。このような配置構成である場合、画像読取装置が配置されていない場合と比べ、用紙が画像読取装置を通過するときの通紙経路は狭い。よって、画像読取装置が配置されている場合、用紙は、画像読取装置内の通紙経路で接触しやすくなる。よって、用紙と画像読取装置内の通紙経路との摩擦により、さらなる静電気が生じる。したがって、画像形成装置と、後処理装置との間に、画像読取装置が配置されている場合には、特許文献１〜５に記載のような従来技術では十分に除電することができない。
【０００８】
つまり、特許文献１〜５に記載のような従来技術は、画像読取装置から後処理装置に搬送される用紙の静電気に起因する後処理の品質の低下を防止することができない。
【０００９】
本発明は、従来の課題を解決するためになされたものであり、その目的とするところは、画像読取装置から後処理装置に搬送される用紙の静電気に起因する後処理の品質の低下を防止することができる画像形成システムを提供することにある。
【課題を解決するための手段】
【００１０】
上記目的を達成するため、本発明に係る画像形成システムは、用紙に画像を形成する画像形成装置と、前記画像形成装置により前記用紙に形成される前記画像を読み取る画像読取装置と、前記用紙に後処理を行う後処理装置と、を備える画像形成システムであって、前記画像読取装置に設けられ、前記用紙が通過する通紙経路と、前記後処理装置の上流側に配置され、前記用紙が前記通紙経路を通過することに起因する前記用紙の静電気を除電する除電装置と、を備え、前記除電装置は、水分及び電荷の少なくとも１つの要素を前記用紙の表面及び裏面に付与する、ものである。
【００１１】
この画像形成システムは、後処理装置の上流側において、用紙の表面と、用紙の裏面との電位差が小さくなる。したがって、画像読取装置から後処理装置に搬送される用紙の静電気に起因する後処理の品質の低下を防止することができる。
【００１２】
また、本発明に係る画像形成システムにおいて、前記除電装置は、前記画像形成装置から前記後処理装置までの間に配置自在であり、且つ前記水分を前記用紙の表面及び裏面に付与する加湿ユニット、を備える、ことが好ましい。
【００１３】
また、本発明に係る画像形成システムにおいて、前記除電装置は、前記画像形成装置から前記後処理装置までの間に配置自在であり、且つ前記電荷を前記用紙の表面及び裏面に付与する電荷付与ユニット、をさらに備え、前記電荷付与ユニットは、前記加湿ユニットの上流側に配置されている、ことが好ましい。
【００１４】
また、本発明に係る画像形成システムにおいて、前記画像読取装置の上流側且つ前記画像形成装置の下流側に、前記加湿ユニット及び前記電荷付与ユニットのうち何れか一方が配置され、前記画像読取装置の下流側に、前記加湿ユニット及び前記電荷付与ユニットのうち何れか他方が配置されている、ことが好ましい。
【００１５】
また、本発明に係る画像形成システムにおいて、前記画像読取装置の上流側且つ前記画像形成装置の下流側に、前記加湿ユニット及び前記電荷付与ユニットの両方が配置されている、ことが好ましい。
【００１６】
また、本発明に係る画像形成システムにおいて、前記画像読取装置の下流側に、前記加湿ユニット及び前記電荷付与ユニットの両方が配置されている、ことが好ましい。
【００１７】
また、本発明に係る画像形成システムにおいて、前記画像読取装置は、前記通紙経路に沿って配置され、前記画像のうち、前記用紙の表裏のうち何れか一方の第１面に形成されている第１画像を読み取る第１のスキャナーと、前記第１のスキャナーの下流側且つ前記通紙経路に沿って配置され、前記画像のうち、前記用紙の表裏のうち何れか他方の第２面に形成されている第２画像を読み取る第２のスキャナーと、前記第２のスキャナーの下流側且つ前記通紙経路に沿って配置され、前記第１画像及び前記第２画像のうち何れか一方を測色する測色計と、を備え、前記画像形成装置は、前記第１のスキャナーによる前記第１画像の読取結果、前記第２のスキャナーによる前記第２画像の読取結果、及び前記測色計による前記第１画像及び前記第２画像のうち何れか一方の測色結果に基づき、前記用紙に形成する前記画像の色味を補正する、ことが好ましい。
【発明の効果】
【００１８】
本発明によれば、画像読取装置から後処理装置に搬送される用紙の静電気に起因する後処理の品質の低下を防止することができる。
【図面の簡単な説明】
【００１９】
【図１】本発明の実施形態１における画像形成システム１の全体構成例を示す図である。
【図２】本発明の実施形態１における画像形成装置３の構成例を示す図である。
【図３】本発明の実施形態１における画像読取装置４の構成例を示す図である。
【図４】本発明の実施形態１における電荷付与ユニット５００の内部構成例を示す図である。
【図５】本発明の実施形態１における第１付与ローラー５０１による電荷付与例を示す図である。
【図６】本発明の実施形態１における第１付与ローラー５０１及び第２付与ローラー５０１’による電荷付与例を示す図である。
【図７】本発明の実施形態１における加湿ユニット５５０の内部構成例を示す図である。
【図８】本発明の実施形態１における画像読取装置４に設けられている通紙経路７００の一例を示す図である。
【図９】本発明の実施形態１における摩擦帯電列を説明する図である。
【図１０】本発明の実施形態１における剥離帯電及び摩擦帯電の一例を示す図である。
【図１１】本発明の実施形態２における画像形成システム１の全体構成例を示す図である。
【図１２】本発明の実施形態３における画像形成システム１の全体構成例を示す図である。
【図１３】本発明の実施形態４における画像形成システム１の全体構成例を示す図である。
【図１４】本発明の実施形態５における画像形成システム１の全体構成例を示す図である。
【図１５】従来における画像形成システム１’の全体構成例を示す図である。
【発明を実施するための形態】
【００２０】
以下、図面に基づいて本発明の実施形態を説明するが、本発明は以下の実施形態に限られるものではない。
【００２１】
実施形態１．
図１は、本発明の実施形態１における画像形成システム１の全体構成例を示す図である。図１に示すように、画像形成システム１は、給紙装置２、画像形成装置３、画像読取装置４、除電装置５、後処理装置６、及び排紙装置７を備える。給紙装置２は、画像形成装置３に紙媒体Ｐを給紙する。画像形成装置３は、給紙装置２から給紙された紙媒体Ｐに画像を形成する。画像形成装置３は、画像が形成された紙媒体Ｐを出力紙Ｐ’として出力する。画像読取装置４は、出力紙Ｐ’を読み取り、各種処理を実行する。
【００２２】
除電装置５は、後処理装置６の上流側に配置され、出力紙Ｐ’を除電する。除電装置５は、水分及び電荷の少なくとも１つの要素を出力紙Ｐ’の表面及び裏面に付与する。除電装置５は、加湿ユニット５５０と、電荷付与ユニット５００とを備える。加湿ユニット５５０は、画像形成装置３から後処理装置６までの間に配置自在であり、且つ水分を出力紙Ｐ’の表面及び裏面に付与する。電荷付与ユニット５００は、画像形成装置３から後処理装置６までの間に配置自在であり、且つ電荷を出力紙Ｐ’の表面及び裏面に付与する。電荷付与ユニット５００は、加湿ユニット５５０の上流側に配置されている。
【００２３】
後処理装置６は、穴開け等の後処理を行う。排紙装置７は、排紙トレイ８を備え、後処理装置６から搬送された紙媒体Ｐを排紙トレイ８に排出する。
【００２４】
図２は、本発明の実施形態１における画像形成装置３の構成例を示す図である。図２に示すように、画像形成装置３は、カラー複写機の一例である。画像形成装置３は、原稿Ｔに形成された色画像を読み取ることにより、画像情報を取得する。画像形成装置３は、取得した画像情報に基づいて色を重ね合わせことにより、色画像を形成する。画像形成装置３は、カラー複写機の外に、カラー用のプリンター若しくはファクシミリ装置、又はこれらの複合機等に適用して好適である。
【００２５】
画像形成装置３は、画像形成装置本体１１を備える。画像形成装置本体１１の上には、カラー用の画像読取部１２及び自動原稿送り装置１４が設けられている。画像形成装置本体１１は、詳細については後述するが、制御部４１、画像処理部４３、画像形成部６０、給紙部２０、及び搬送部３０を含む。
【００２６】
自動原稿送り装置１４は、画像読取部１２の上に設けられている。自動原稿送り装置１４は、自動給紙モード時に、１枚又は複数枚の原稿Ｔを自動給紙する。自動給紙モードは、自動原稿送り装置１４に載置された原稿Ｔを給紙し、原稿Ｔに印刷されている画像を読み取る動作が実行される。
【００２７】
自動原稿送り装置１４は、具体的には、原稿載置部１４１、ローラー１４２ａ、ローラー１４２ｂ、ローラー１４３、ローラー１４４、反転部１４５、及び排紙皿１４６を備える。原稿載置部１４１には、１枚又は複数枚の原稿Ｔが載置される。原稿載置部１４１の下流側には、ローラー１４２ａ及びローラー１４２ｂが設けられている。ローラー１４２ａ及びローラー１４２ｂの下流側には、ローラー１４３が設けられている。ローラー１４３の外周側には、位置決め検知部８１が設けられている。
【００２８】
自動給紙モードが選択された場合、原稿載置部１４１から繰り出された原稿Ｔは、ローラー１４３によりＵ字回転して搬送される。なお、原稿Ｔが原稿載置部１４１に載置され、且つ自動給紙モードが選択される場合、原稿Ｔの記録面は上に向いた状態であることが好ましい。
【００２９】
原稿Ｔは、画像読取部１２により読み取られる場合、ローラー１４４により搬送され、排紙皿１４６に排紙される。なお、自動原稿送り装置１４は、反転部１４５に原稿Ｔを搬送することにより、原稿Ｔの記録面だけでなく、原稿Ｔの記録面の裏面側を画像読取部１２に読み取らせることができる。
【００３０】
位置決め検知部８１は、原稿Ｔを検出する。位置決め検知部８１は、例えば、反射型フォトセンサにより実現される。位置決め検知部８１は、原稿Ｔが検知されると出力信号が立ち上がり、原稿Ｔが検知されなくなると出力信号が立ち下がり、その結果が制御部４１に送信される。つまり、原稿Ｔが位置決め検知部８１を通過している期間において、出力信号は一定値を維持する。
【００３１】
画像読取部１２は、原稿Ｔに形成された色画像を読み取る。画像読取部１２は、一次元のイメージセンサー１２８を備える。画像読取部１２は、イメージセンサー１２８の他に、第１のプラテンガラス１２１、第２のプラテンガラス１２２、光源１２３、ミラー１２４〜１２６、結像光学部１２７、及び不図示の光学駆動部を備える。
【００３２】
光源１２３は、原稿Ｔに光を照射する。不図示の光学駆動部は、原稿Ｔ又はイメージセンサー１２８を副走査方向に相対的に移動させる。なお、イメージセンサー１２８を構成する複数の受光素子の配置方向を主走査方向とする。一方、主走査方向と直交する方向を副走査方向とする。
【００３３】
原稿Ｔは自動原稿送り装置１４により搬送され、画像読取部１２の光学系により、原稿Ｔの片面又は両面の画像が走査露光される。よって、原稿Ｔの片面又は両面の画像がイメージセンサー１２８に読み込まれる。イメージセンサー１２８は、プラテンモード時であれば、原稿Ｔを読み取って得たＲＧＢ表色系の画像読取信号Ｓｏｕｔを出力する。プラテンモードは、不図示の光学駆動部が駆動することにより、第１のプラテンガラス１２１上に載置された原稿Ｔに印刷された画像を自動的に読み取る動作が実行される。
【００３４】
イメージセンサー１２８は、３ラインカラーＣＣＤ撮像装置が使用されている。イメージセンサー１２８は、複数の受光素子列が主走査方向に配置されて構成される。具体的には、赤（Ｒ）色、緑（Ｇ）色、及び青（Ｂ）色のそれぞれの光検出用の読取センサーは、主走査方向と直交する副走査方向の異なる位置で画素を分割し、Ｒ色、Ｇ色、及びＢ色のそれぞれの光情報を同時に読み取る。例えば、自動給紙モードであり、且つ原稿Ｔがローラー１４３によりＵ字上に反転される場合、イメージセンサー１２８は、原稿Ｔの表面を読み取り、画像読取信号Ｓｏｕｔを出力する。画像読取信号Ｓｏｕｔは、イメージセンサー１２８により光電変換されたアナログの信号である。
【００３５】
つまり、イメージセンサー１２８は、用紙に形成されている画像に照射された光の反射光等を光電変換する。イメージセンサー１２８は、制御部４１を介して画像処理部４３に接続されている。画像読取信号Ｓｏｕｔは、制御部４１を介して画像処理部４３に出力される。画像読取信号Ｓｏｕｔは、画像処理部４３により各種処理が実行される。
【００３６】
画像処理部４３は、ＣＰＵ等のような演算装置又はＡＳＩＣ等のような集積回路を備える。画像処理部４３は、各種処理を実行するプロセッサとして機能する。例えば、画像処理部４３は、画像読取信号Ｓｏｕｔに、アナログ処理、Ａ／Ｄ変換処理、シェーディング補正処理、画像圧縮処理、及び変倍処理等を実行する。
【００３７】
画像処理部４３は、３次元色情報変換テーブルにより、アナログの画像読取信号Ｓｏｕｔを、Ｒ色成分、Ｇ色成分、及びＢ色成分を含むデジタルの画像データ（Ｒ，Ｇ，Ｂ）からＹ（イエロー）、Ｍ（マゼンタ）、Ｃ（シアン）、及びＫ（ブラック）色の画像データ（Ｄｙ，Ｄｍ，Ｄｃ，Ｄｋ）に変換する。画像処理部４３は、画像データ（Ｄｙ，Ｄｍ，Ｄｃ，Ｄｋ）を、画像形成部６０に含まれるＬＥＤ書き込みユニット６１１Ｙ，６１１Ｍ，６１１Ｃ，６１１Ｋに転送する。
【００３８】
画像形成部６０は、電子写真プロセス技術が利用される。画像形成部６０は、中間転写方式のカラー画像を形成する。画像形成部６０は、縦型タンデム方式が採用されている。画像形成部６０は、色ごとの画像形成ユニット６０１Ｙ，６０１Ｍ，６０１Ｃ，６０１Ｋと、中間転写部６２０と、定着部６３０とを備え、画像処理部４３から転送された画像データ（Ｄｙ，Ｄｍ，Ｄｃ，Ｄｋ）に基づき、色画像を形成する。
【００３９】
画像形成ユニット６０１Ｙは、Ｙ（イエロー）色の画像を形成する。画像形成ユニット６０１Ｙは、感光ドラム６１３Ｙ、帯電部６１４Ｙ、ＬＥＤ書き込みユニット６１１Ｙ、現像部６１２Ｙ、及びクリーニング部６１６Ｙを備える。
【００４０】
感光ドラム６１３Ｙは、Ｙ色のトナー像を形成する。帯電部６１４Ｙは、感光ドラム６１３Ｙの周囲に配置され、コロナ放電により感光ドラム６１３Ｙの表面を一様に負極性に帯電させる。ＬＥＤ書き込みユニット６１１Ｙは、感光ドラム６１３Ｙに、Ｙ色成分の画像に対応する光を照射する。現像部６１２Ｙは、感光ドラム６１３Ｙの表面にＹ色成分のトナーを付着させることにより、静電潜像を可視化してトナー像を形成する。クリーニング部６１６Ｙは、一次転写後に感光ドラム６１３Ｙの表面に残存する転写残トナーを除去する。
【００４１】
画像形成ユニット６０１Ｍ，６０１Ｃ，６０１Ｋのそれぞれは、画像形成ユニット６０１Ｙと比べ、形成する画像の色が異なる以外は同様の構成及び機能であるため、その説明については省略する。なお、画像形成ユニット６０１Ｙ，６０１Ｍ，６０１Ｃ，６０１Ｋを総称する場合、画像形成ユニット６０１と称する。
【００４２】
中間転写部６２０は、中間転写ベルト６２１、一次転写ローラー６２２Ｙ，６２２Ｍ，６２２Ｃ，６２２Ｋ、二次転写ローラー６２３、及びベルトクリーニング装置６２４等を備える。
【００４３】
中間転写ベルト６２１は、無端状ベルトで形成されている。無端状ベルトは、内周側に複数の支持ローラーが配置されている。無端状ベルトは、複数の支持ローラーによりループ状に張架される。複数の支持ローラーのうち少なくとも１つのものは駆動ローラーであり、複数の支持ローラーのうち他のものは従動ローラーである。例えば、Ｋ成分用の一次転写ローラー６２２Ｋよりもベルト走行方向の下流側に配置される支持ローラーが駆動ローラーであることが好ましい。駆動ローラーが回転することにより、中間転写ベルト６２１は矢印Ｚ方向に一定速度で走行する。
【００４４】
一次転写ローラー６２２Ｙ，６２２Ｍ，６２２Ｃ，６２２Ｋは、中間転写ベルト６２１の内周面側に設けられている。一次転写ローラー６２２Ｙ，６２２Ｍ，６２２Ｃ，６２２Ｋは、感光ドラム６１３Ｙ，６１３Ｍ，６１３Ｃ，６１３Ｋに対向した位置に配置されている。つまり、一次転写ローラー６２２Ｙ，６２２Ｍ，６２２Ｃ，６２２Ｋは、中間転写ベルト６２１を介して、感光ドラム６１３Ｙ，６１３Ｍ，６１３Ｃ，６１３Ｋに圧接される。このような配置構成により、感光ドラム６１３Ｙ，６１３Ｍ，６１３Ｃ，６１３Ｋと、中間転写ベルト６２１との間には一次転写ニップが形成される。一次転写ニップでは、感光ドラム６１３Ｙ，６１３Ｍ，６１３Ｃ，６１３Ｋから中間転写ベルト６２１にトナー像が転写される。
【００４５】
なお、一次転写ローラー６２２Ｙ，６２２Ｍ，６２２Ｃ，６２２Ｋを総称する場合、一次転写ローラー６２２と称する。また、感光ドラム６１３Ｙ，６１３Ｍ，６１３Ｃ，６１３Ｋを総称する場合、感光ドラム６１３と称する。
【００４６】
二次転写ローラー６２３は、中間転写ベルト６２１の外周面側に設けられている。二次転写ローラー６２３は、複数の支持ローラーのうち１つのものに対向して配置されている。複数の支持ローラーのうち、中間転写ベルト６２１に対向して配置されている支持ローラーは、バックアップローラーと呼ばれる。二次転写ローラー６２３は、中間転写ベルト６２１を介して、バックアップローラーに圧接されることにより、二次転写ニップが形成される。二次転写ニップでは、中間転写ベルト６２１から紙媒体Ｐにトナー像が転写される。
【００４７】
中間転写ベルト６２１が一次転写ニップを通過するとき、感光ドラム６１３上のトナー像は、中間転写ベルト６２１に順次重ねて一次転写される。具体的には、一次転写ローラー６２２に一次転写バイアスを印加すると共に、中間転写ベルト６２１の裏面側のうち一次転写ローラー６２２と当接する側にトナーと逆極性の電荷を付与することにより、トナー像は中間転写ベルト６２１に静電的に転写される。
【００４８】
トナー像が中間転写ベルト６２１に静電的に転写され、且つ紙媒体Ｐが二次転写ニップを通過するとき、中間転写ベルト６２１上のトナー像は紙媒体Ｐに二次転写される。具体的には、二次転写ローラー６２３に二次転写バイアスを印加すると共に、紙媒体Ｐの裏面側のうち二次転写ローラー６２３と当接する側にトナーと逆極性の電荷を付与することにより、トナー像は紙媒体Ｐに静電的に転写される。トナー像が転写された紙媒体Ｐは定着部６３０に向けて搬送される。
【００４９】
ベルトクリーニング装置６２４は、ベルトクリーニングブレード等を備え、中間転写ベルト６２１の表面に摺接する。ベルトクリーニング装置６２４は、二次転写後に中間転写ベルト６２１の表面に残留する転写残トナーを除去する。
【００５０】
なお、中間転写部６２０において、二次転写ローラー６２３に代えて、二次転写ローラー６２３を含む複数の支持ローラーに、不図示の二次転写ベルトがループ状に張架された構成、いわゆる、ベルト式の二次転写ユニットが採用されてもよい。
【００５１】
定着部６３０は、加熱ローラー６３１、加圧ローラー６３２、加熱部６３３、及び温度検知部８３を備え、画像形成部６０で転写されたトナー像を紙媒体Ｐに定着させる。
【００５２】
加熱部６３３は、加熱ローラー６３１の内部に設けられ、加熱ローラー６３１を間欠的に加熱する。加圧ローラー６３２は、加熱ローラー６３１に対向して配置され、加熱ローラー６３１を加圧する。温度検知部８３は、加熱ローラー６３１の周囲に設けられ、加熱ローラー６３１の温度を検知する。温度検知部８３のサンプリング周期は、例えば、１００ｍｓである。
【００５３】
定着部６３０は、温度検知部８３の検知結果に応じて、加熱部６３３に加熱ローラー６３１を加熱させる。定着部６３０は、加熱ローラー６３１と、加圧ローラー６３２とを互いに圧接させることにより、加熱ローラー６３１と加圧ローラー６３２との間に定着ニップを形成させる。
【００５４】
定着部６３０は、加圧ローラー６３２による加圧と、加熱ローラー６３１に含まれる熱との作用を通じて、画像形成部６０で転写されたトナー像を紙媒体Ｐに定着させる。定着部６３０により定着された紙媒体Ｐは、画像が印刷される。画像が印刷された紙媒体Ｐは、出力紙Ｐ’として排紙ローラー３０４により機外に排出され、例えば、画像読取装置４に搬送される。なお、紙媒体Ｐと、出力紙Ｐ’とを区別することなく総称する場合、用紙と称する。
【００５５】
給紙部２０は、給紙カセット２００及び送り出しローラー２０１等を備える。給紙カセット２００は、紙媒体Ｐを収容する。送り出しローラー２０１は、給紙カセット２００に収容された紙媒体Ｐを取り込み、搬送部３０に送り出す。
【００５６】
搬送部３０は、搬送経路３００を備える。搬送部３０は、搬送経路３００に従い紙媒体Ｐを搬送する。搬送経路３００は、給紙ローラー３０２Ａ、搬送ローラー３０２Ｂ，３０２Ｃ，３０２Ｄ、及びレジストローラー３０３等を備える。
【００５７】
搬送経路３００は、給紙部２０から給紙された紙媒体Ｐを画像形成部６０に搬送する。なお、搬送経路３００は、紙媒体Ｐの裏面にも画像形成が行われる場合、紙媒体Ｐの表面に画像形成が行われた後、分岐部３０６により紙媒体Ｐを循環通紙路３０７Ａに搬送させる。循環通紙路３０７Ａに搬送された紙媒体Ｐは、反転搬送路３０７Ｂから再給紙搬送路３０７Ｃに搬送される。
【００５８】
制御部４１は、不図示のＣＰＵ、ＲＯＭ、ＲＡＭ、及びＩ／Ｏインターフェースを主体として構成される。制御部４１は、ＣＰＵがＲＯＭ又は不図示の記憶部から処理内容に応じた各種プログラムを読み出し、ＲＡＭに展開し、展開した各種プログラムと協働することにより、画像形成装置３の各部の動作を制御する。つまり、制御部４１は、各種処理を実行するプロセッサとして機能する。
【００５９】
図３は、本発明の実施形態１における画像読取装置４の構成例を示す図である。画像読取装置４は、インライン方式及びオフライン方式の何れかの方式で各種動作を実行する。インライン方式は、画像形成装置３から供給される出力紙Ｐ’を画像読取装置４に直接給紙するように画像読取装置４が配置される方式である。一方、オフライン方式は、画像形成装置３と画像読取装置４とがそれぞれ独立して配置される方式である。本実施形態においては、インライン方式を前提として以後の説明をするが、オフライン方式であってもよい。
【００６０】
画像読取装置４は、画像形成装置３の下流側に配置され、出力紙Ｐ’の片面又は両面に印刷された画像を読み取る。具体的には、画像読取装置４は、出力紙Ｐ’に印刷された画像の色、位置、及び倍率等の読取結果に基づいて画像の補正量を求め、求めた画像の補正量を画像形成装置３にフィードバックする。
【００６１】
画像読取装置４は、制御部７１、第１のスキャナー７０１ａ、第２のスキャナー７０１ｂ、測色計７０３、校正部７０５ａ〜７０５ｃ、搬送ローラー７３１、及び通紙経路７００を備える。通紙経路７００は、画像読取装置４に設けられ、出力紙Ｐ’が通過する経路である。通紙経路７００は、搬送ローラー７３１の駆動により出力紙Ｐ’が搬送される。
【００６２】
画像読取装置４は、端部検知部７０７を備える。端部検知部７０７は、第２のスキャナー７０１ｂと、測色計７０３との間に配置され、通紙経路７００を通過する出力紙Ｐ’の端部を検知する。端部検知部７０７は、例えば、反射型センサーにより実現される。
【００６３】
画像読取装置４は、例えば、画像形成装置３から供給された出力紙Ｐ’を受け取ると、出力紙Ｐ’に形成された画像を第１のスキャナー７０１ａ、第２のスキャナー７０１ｂ、及び測色計７０３に検出させる。画像の検出結果は、制御部７１に出力される。
【００６４】
具体的には、第１のスキャナー７０１ａ及び第２のスキャナー７０１ｂは、通紙経路７００を通紙する出力紙Ｐ’と対向する位置関係に配置されている。第１のスキャナー７０１ａ及び第２のスキャナー７０１ｂは、出力紙Ｐ’に印刷された画像を読み取る。
【００６５】
第１のスキャナー７０１ａは、紙媒体Ｐの裏面を読み取る。第１のスキャナー７０１ａの読取結果は、例えば、出力紙Ｐ’に印刷された画像の表裏のずれのチェック、又は想定外の画像の有無等のチェックに利用される。一方、第２のスキャナー７０１ｂは、出力紙Ｐ’の表面を読み取る。具体的には、第２のスキャナー７０１ｂは、出力紙Ｐ’に印刷された画像、例えば、パッチを読み取る。第２のスキャナー７０１ｂは、出力紙Ｐ’が搬送されるにつれ、出力紙Ｐ’の進行方向と直交する直交方向に沿って、出力紙Ｐ’に形成されたパッチの色を読み取る。
【００６６】
なお、第１のスキャナー７０１ａ及び第２のスキャナー７０１ｂを総称する場合、スキャナー７０１と称する。校正部７０５ａ〜７０５ｃを総称する場合、校正部７０５と称する。
【００６７】
測色計７０３は、スキャナー７０１よりも下流側且つ通紙経路７００を通紙する出力紙Ｐ’に対向する位置に配置されている。測色計７０３は、例えば、出力紙Ｐ’に形成されたパッチを測色することにより、出力紙Ｐ’に形成する画像の色の絶対値を保証する。
【００６８】
具体的には、測色計７０３は、図８で後述する光源部７４５からパッチに向けて可視光を照射する。測色計７０３は、校正部７０５ｃにより反射される可視光の反射光等の分光スペクトルを取得する。測色計７０３は、取得された分光スペクトルから求められる分光データに基づき、三刺激値（Ｘ，Ｙ，Ｚ）を求める。測色計７０３は、三刺激値（Ｘ，Ｙ，Ｚ）に基づき、色彩値を求める。色彩値は、具体的には、直交座標系又は円柱座標系等の表色系で表現され、パッチの色味が導き出される。色彩値は、制御部７１、制御部４１、又は画像処理部４３に出力される。
【００６９】
なお、測色計７０３の測色範囲、すなわち視野角は、スキャナー７０１の読取範囲よりも狭く、出力紙Ｐ’の幅方向に沿ったパッチの幅よりも狭く設定されている。具体的には、パッチの反射光を取得するレンズ部は、例えば約４ｍｍ程度である。
【００７０】
このように、測色計７０３は、一定の視野角の範囲に限定して測色を行うものであるため、スキャナー７０１よりも高い精度で色彩値を再現することができる。
【００７１】
制御部７１は、測色計７０３により求められたパッチの色彩値に基づき、スキャナー７０１で読み取られたパッチの色の読取値を補正する。具体的には、画像処理部４３は、測色計７０３により求められたパッチの色彩値と、スキャナー７０１で読み取られたパッチの色の読取値とを、関連付ける。測色計７０３によるパッチの色彩値と、スキャナー７０１によるパッチの色の読取値とが関連付けられていれば、測色計７０３の測色結果を、スキャナー７０１の読取結果に反映させることができるため、パッチの正確な補正量が得られる。
【００７２】
なお、スキャナー７０１で読み取られたパッチの色の読取値は、例えば、ＲＧＢ表色系で表される画像データ（Ｒ，Ｇ，Ｂ）で示すことができる。一方、測色計７０３により求められるパッチの色彩値は、例えば、ＣＩＥＬＡＢ色空間で表される測色値（Ｌ＊，ａ＊，ｂ＊）で示すことができる。よって、ＲＧＢ表色系で表される画像データ（Ｒ，Ｇ，Ｂ）と、ＣＩＥＬＡＢ色空間で表される測色値（Ｌ＊，ａ＊，ｂ＊）とを関連付けることができる。
【００７３】
画像処理部４３は、パッチの補正量に基づき、画像形成部６０に形成させる画像を最適化する。画像処理部４３が実行する画像の最適化処理は、紙媒体Ｐに印刷する画像の表裏位置調整、濃度調整等が含まれる。
【００７４】
つまり、画像処理部４３は、画像読取装置４の出力紙Ｐ’の読取結果に応じて、紙媒体Ｐに形成する画像の色、位置、又は倍率を補正する。具体的には、画像処理部４３は、補正されたパッチの色彩値に基づき、紙媒体Ｐに形成する画像を補正する。画像処理部４３は、新たな紙媒体Ｐに画像を形成する場合、補正結果に基づき、画像を紙媒体Ｐに形成する指令を画像形成部６０に転送する。
【００７５】
なお、校正部７０５ａは、第１のスキャナー７０１ａに対向する位置に配置される。校正部７０５ｂは、第２のスキャナー７０１ｂに対向する位置に配置される。校正部７０５ａ，７０５ｂは、画像の読み取り時に紙媒体Ｐに照射される照射光を反射する。なお、校正部７０５は、照射光の反射面が白色で形成されていることが好ましい。
【００７６】
図４は、本発明の実施形態１における電荷付与ユニット５００の内部構成例を示す図である。図４に示すように、電荷付与ユニット５００は、第１付与ローラー５０１ａ，５０１ｂが設けられ、付与電源５０３により高圧バイアスがかけられる。第１付与ローラー５０１ａ，５０１ｂは、長手方向の長さが出力紙Ｐ’の幅よりも長い形状となっており、出力紙Ｐ’の幅全面を加電することができる。付与電源５０３は、例えば、交番電圧が印加されるが、正極側又は負極側の何れか一方の電圧が印加されてもよい。
【００７７】
例えば、図４の一例においては、出力紙Ｐ’の第１面が−５００Ｖに帯電している状態であり、出力紙Ｐ’の第２面が＋７００Ｖに帯電している状態である。出力紙Ｐ’は、第１付与ローラー５０１ａ，５０１ｂを通過後、第１面が＋２００Ｖに帯電している状態であり、第２面が＋３００Ｖに帯電している状態である。よって、出力紙Ｐ’の表裏の電位差は、１２００Ｖから１００Ｖに低減されているため、図４に示す出力紙Ｐ’と、図４に不図示の他の出力紙Ｐ’との貼り付き力は低減する。なお、第１付与ローラー５０１ａ，５０１ｂを総称する場合、第１付与ローラー５０１と称する。
【００７８】
図５は、本発明の実施形態１における第１付与ローラー５０１による電荷付与例を示す図である。図５に示すように、電荷付与ユニット５００は、１対の第１付与ローラー５０１により印加する電荷を正極側及び負極側の何れか一方に切り替える。
【００７９】
図６は、本発明の実施形態１における第１付与ローラー５０１及び第２付与ローラー５０１’による電荷付与例を示す図である。図６の一例においては、第１付与ローラー５０１ａ，５０１ｂの他に、第２付与ローラー５０１ａ’，５０１ｂ’が設けられている。第１付与ローラー５０１と同様に、第２付与ローラー５０１ａ’，５０１ｂ’を総称する場合、第２付与ローラー５０１’と称する。図６に示すように、電荷付与ユニット５００は、第１付与ローラー５０１及び第２付与ローラー５０１’により正極側の電荷を出力紙Ｐ’に多く付与する。
【００８０】
図７は、本発明の実施形態１における加湿ユニット５５０の内部構成例を示す図である。図７に示すように、第１加湿部５５１は、加湿ユニット５５０の筐体内部の右側に配置され、第２加湿部５５１’は、加湿ユニット５５０の筐体内部の左側に配置されている。第１加湿部５５１は、通紙ローラー５８３により通紙経路５８１を通過する出力紙Ｐ’の第１面と対向している。第１加湿部５５１は、出力紙Ｐ’の第１面を加湿する。出力紙Ｐ’の第２面は、出力紙Ｐ’の第１面の裏面である。第２加湿部５５１’は、出力紙Ｐ’の第２面を加湿する。
【００８１】
第１加湿部５５１は、第１貯水部５６１、第１加湿ローラー５６２、及び第１伝達部５６３を備える。第１伝達部５６３は、第１水供給部５７１、第１給水ローラー５７２、及び第１水切りローラー５７３を備える。
【００８２】
第２加湿部５５１’は、第２貯水部５６１’、第２加湿ローラー５６２’、及び第２伝達部５６３’を備える。第２伝達部５６３’は、第２水供給部５７１’、第２給水ローラー５７２’、及び第２水切りローラー５７３’を備える。
【００８３】
第１貯水部５６１は、第１水供給部５７１に接続され、第１水供給部５７１から供給される液体を貯水する。第１伝達部５６３は、第１貯水部５６１から第１加湿ローラー５６２に液体を伝達する。第１給水ローラー５７２は、第１加湿ローラー５６２との間に形成されるニップを介して、第１貯水部５６１から第１加湿ローラー５６２に液体を給水する。第１水切りローラー５７３は、第１給水ローラー５７２とニップを形成する。第１水切りローラー５７３は、第１給水ローラー５７２との間に形成されるニップを介して、第１給水ローラー５７２に対向して圧着し、且つ第１給水ローラー５７２の表面に形成される液体の水膜を掻き取る。
【００８４】
第２貯水部５６１’は、第２水供給部５７１’に接続され、第２水供給部５７１’から供給される液体を貯水する。第２伝達部５６３’は、第２貯水部５６１’から第２加湿ローラー５６２’に液体を伝達する。第２給水ローラー５７２’は、第２加湿ローラー５６２’との間に形成されるニップを介して、第２貯水部５６１’から第２加湿ローラー５６２’に液体を給水する。第２水切りローラー５７３’は、第２給水ローラー５７２’とニップを形成する。第２水切りローラー５７３’は、第２給水ローラー５７２’との間に形成されるニップを介して、第２給水ローラー５７２’に対向して圧着し、且つ第２給水ローラー５７２’の表面に形成される液体の水膜を掻き取る。
【００８５】
図８は、本発明の実施形態１における画像読取装置４に設けられている通紙経路７００の一例を示す図である。図８に示すように、通紙経路７００は、通紙ガイド部７４４、可動コロ７４１、固定コロ７４２、校正部７０５ｃ、及び対物ガラス部７４３等から形成される経路であり、出力紙Ｐ’が通過する。上流側の通紙ガイド部７４４は、上流側の搬送ローラー７３１から搬送される出力紙Ｐ’を下流側にガイドする。可動コロ７４１は、上下に移動自在であり、弾性部材により出力紙Ｐ’のばたつきを抑制することができる。固定コロ７４２は、対物ガラス部７４３と対向し、出力紙Ｐ’のばたつきを抑えている。下流側の通紙ガイド部７４４は、スキャナー７０１及び測色計７０３を通過した出力紙Ｐ’を下流側の搬送ローラー７３１にガイドする。スキャナー７０１及び測色計７０３は、光源部７４５から照射された光が出力紙Ｐ’で反射される反射光等を読み取る。
【００８６】
図９は、本発明の実施形態１における摩擦帯電列を説明する図である。摩擦帯電は、静電気現象の一種であり、異なる二種の物質を擦り合わせることにより、一方から他方へ電荷が移動して電位差を生じる現象である。摩擦帯電は、摩擦に続いて物体同士を引き離すとき、高い電圧が生じるものである。このような過程を合わせて、静電気が発生すると表現される。また、このように生じる電気は、摩擦電気と称されている。
【００８７】
ところで、摩擦帯電において、電位差が生じるのは、物質同士が接触すると、それぞれの仕事関数の差により物質間で正電荷又は負電荷が移動するのが主な要因である。このような摩擦帯電の摩擦帯電列は、その物質の素材により変化する。例えば、図８の一例において、出力紙Ｐ’が対物ガラス部７４３と接触して搬送される場合、出力紙Ｐ’は正に帯電しやすくなる。
【００８８】
つまり、スキャナー７０１は、出力紙Ｐ’に印刷されている画像の位置及び濃度を正確に読み取るために、図８に示す読取位置Ｘにおいて、出力紙Ｐ’が通過する隙間を狭くし、スキャナー７０１による読取中の出力紙Ｐ’の高さ変動及び速度変動を抑制している。この隙間は、一方が対物ガラス部７４３で構成され、他方が校正部７０５ｃで構成されている。対物ガラス部７４３は平滑なガラスを含む素材で構成されている。出力紙Ｐ’と平滑なガラスとは、面当たりによる摩擦が生じる場合がある。この場合、出力紙Ｐ’とガラスとの帯電系列から、出力紙Ｐ’の表面は他の部材を通過する場合よりも正電荷を多く持ち、且つ静電気による貼り付き力又は反発力が大きくなる。したがって、穴開け、折り、綴じ、断裁、及び積載等を行う後処理における穴開け時の屑残りＪＡＭ、整合不良による折り位置ズレ、断裁屑貼り付き等の品質不良が増加する恐れがある。
【００８９】
ところで、図８に示す通紙ガイド部７４４に板金が使用され、搬送ローラー７３１、可動コロ７４１、及び固定コロ７４２に樹脂が使用されている場合、板金は接地させておくため、内部抵抗が０Ωであれば、樹脂が使用される部材のみが帯電しているような現象が発生する。なお、実際には内部抵抗はその部材の素材により異なる。
【００９０】
図１０は、本発明の実施形態１における剥離帯電及び摩擦帯電の一例を示す図である。図１０に示す搬送ローラー８０１ａ，８０１ｂは、上記で説明した各種ローラーを総称するものとする。搬送ローラー８０１ａ，８０１ｂは、圧力と回転力とを与えることにより、出力紙Ｐ’を搬送するため、圧力と回転力とにより搬送エネルギーが決定する。このような搬送エネルギーは摩擦帯電により電位に変化される。具体的には、搬送ローラー８０１ａと、搬送ローラー８０１ｂとの間に形成されるニップと出力紙Ｐ’とが分離するときに剥離放電が生じる。また、搬送ローラー８０１ａと、搬送ローラー８０１ｂとの間に形成されるニップにおいて、搬送ローラー８０１ａ，８０１ｂが出力紙Ｐ’にマイクロスリップすることにより摩擦帯電が生じる。また、通紙ガイド部７４４が板金等のような金属製である場合、接地されているため、通紙ガイド部７４４への電荷の移動が生じる。
【００９１】
このような摩擦帯電、剥離帯電、及び通紙ガイド部７４４への電荷の移動は、容易に制御できるものではなく、出力紙Ｐ’が通過する温湿度環境、出力紙Ｐ’の紙質、出力紙Ｐ’のトナー付着量、又は通紙ガイド部７４４の蓄電量等により容易に変化する。また、静電気を帯びている出力紙Ｐ’は、出力紙Ｐ’表裏面の電位差が大きくなるにつれ、出力紙Ｐ’間に働く引力が大きくなる。よって、出力紙Ｐ’同士が貼り付いたまま、後処理が行われれば、後処理の品質が下がる恐れがある。したがって、後処理の品質を下げないようにするためには、より大きなエネルギーを使用して仕事をする必要がある。
【００９２】
そこで、本実施形態で説明しているように、加湿及び電荷付与の少なくとも一方の制御を行うことにより、一連の仕事を行うときの効率を改善し、より良好な条件、すなわち、小さいエネルギーで仕事を行うことができる。
【００９３】
換言すれば、本実施形態における画像形成システム１は、画像読取装置４に設けられ、用紙が通過する通紙経路７００と、除電装置５とを備える。除電装置５は、後処理装置６の上流側に配置され、用紙が通紙経路７００を通過することに起因する用紙の静電気を除電する。除電装置５は、水分及び電荷の少なくとも１つの要素を用紙の表面及び裏面に付与する。
【００９４】
よって、後処理装置６の上流側において、用紙の表面と、用紙の裏面との電位差が小さくなる。したがって、画像読取装置４から後処理装置６に搬送される用紙の静電気に起因する後処理の品質の低下を防止することができる。
【００９５】
図１５は、従来における画像形成システム１’の全体構成例を示す図である。図１５においては、画像形成システム１’は、給紙装置２、画像形成装置３、除電装置５、後処理装置６、及び排紙装置７を備える。よって、画像形成システム１’は、画像読取装置４を備えていないため、画像読取装置４と後処理装置６とが連結されているシステムではない。したがって、用紙が狭い隙間を通過することがないため、摩擦帯電等による用紙同士の接触が生じる恐れが少ないものである。
【００９６】
一方、本実施形態においては、上記で説明したように、画像形成システム１は、画像読取装置４と後処理装置６とが連結されているシステムである。よって、用紙が狭い隙間を通過するため、摩擦帯電等による用紙同士の接触が生じる恐れがある。
【００９７】
そこで、除電装置５は、加湿ユニット５５０を備える。加湿ユニット５５０は、画像形成装置３から後処理装置６までの間に配置自在であり、且つ水分を用紙の表面及び裏面に付与する。よって、用紙の表面と、用紙の裏面とが加湿されるため、用紙の電荷の移動を促進させることができる。つまり、水を介して、用紙の電荷が接地に逃げやすくなるため、用紙の帯電むらを均一化することができる。
【００９８】
また、除電装置５は、電荷付与ユニット５００を備える。電荷付与ユニット５００は、画像形成装置３から後処理装置６までの間に配置自在であり、且つ電荷を用紙の表面及び裏面に付与する。また、電荷付与ユニット５００は、加湿ユニット５５０の上流側に配置されている。よって、用紙の表面と、用紙の裏面とに電荷が付与されるため、用紙の電荷を中和させることができる。つまり、用紙の総静電気量を安定させることができるため、用紙間の電位差に起因する用紙同士の貼り付きを防止することができる。
【００９９】
また、本実施形態において、画像形成システム１は、画像読取装置４の下流側に、加湿ユニット５５０及び電荷付与ユニット５００の両方が配置されている。よって、後処理装置６に用紙が搬送される前に、電荷の付与と、加湿とが用紙に行われる。よって、用紙の電荷の中和と、用紙の加湿とが行われてから後処理装置６が用紙に後処理を行う。したがって、画像読取装置４を通過することにより用紙に静電気が生じたとしても、用紙が後処理装置６に搬送される前に、用紙の静電気を低減させることができる。
【０１００】
また、本実施形態において、画像読取装置４は、第１のスキャナー７０１ａと、第２のスキャナー７０１ｂと、測色計７０３とを備える。第１のスキャナー７０１ａは、通紙経路７００に沿って配置され、画像のうち、用紙の表裏のうち何れか一方の第１面に形成されている第１画像を読み取る。第２のスキャナー７０１ｂは、第１のスキャナー７０１ａの下流側且つ通紙経路７００に沿って配置され、画像のうち、用紙の表裏のうち何れか他方の第２面に形成されている第２画像を読み取る。測色計７０３は、第２のスキャナー７０１ｂの下流側且つ通紙経路７００に沿って配置され、第１画像及び第２画像のうち何れか一方を測色する。
【０１０１】
つまり、画像読取装置４は、第１のスキャナー７０１ａによる第１画像の読取結果、第２のスキャナー７０１ｂによる第２画像の読取結果、及び測色計７０３による第１画像及び第２画像のうち何れか一方の測色結果に基づき、用紙に形成する画像の色味を補正する。
【０１０２】
よって、１回の通紙で、用紙の第１面の第１画像と、用紙の第２面の第２画像とを読み取ることができると共に、第１画像及び第２画像の何れか一方を測色することができる。したがって、第１画像及び第２画像の読取結果を効率よくフィードバックすることができる。
【０１０３】
実施形態２．
実施形態２において、実施形態１と同一の構成については同一の符号を付記し、その説明については省略する。実施形態２においては、実施形態１と比べ、除電装置５の配置箇所が異なる。
【０１０４】
図１１は、本発明の実施形態２における画像形成システム１の全体構成例を示す図である。図１１に示すように、画像形成システム１は、画像読取装置４の上流側且つ画像形成装置３の下流側に、加湿ユニット５５０及び電荷付与ユニット５００の両方が配置されている。
【０１０５】
よって、画像読取装置４に用紙が搬送される前に、電荷の付与と、加湿とが用紙に行われる。したがって、画像読取装置４は、用紙の電荷の中和と、用紙の加湿とが行われた後の用紙に形成されている画像を読み取る。この結果、中和した電荷対の分布がむらになり、用紙と用紙との接触面の電荷量により、用紙同士の貼り付く力が強くなったとしても、用紙の電荷は加湿により移動の促進が行われるため、事前に用紙の帯電むらの均一化を図ることができる。
【０１０６】
実施形態３．
実施形態３において、実施形態１、２と同一の構成については同一の符号を付記し、その説明については省略する。実施形態３においては、実施形態１、２と比べ、加湿ユニット５５０及び電荷付与ユニット５００の配置箇所が異なる。
【０１０７】
図１２は、本発明の実施形態３における画像形成システム１の全体構成例を示す図である。図１２に示すように、画像形成システム１は、画像読取装置４の上流側且つ画像形成装置３の下流側に、加湿ユニット５５０が配置され、画像読取装置４の下流側に、電荷付与ユニット５００が配置されている。
【０１０８】
よって、画像読取装置４に用紙が搬送される前に、用紙が加湿される。したがって、加湿により用紙のカールが低減されるため、摩擦帯電が抑制されつつ、加湿により用紙が冷却されるため、画像を読み取り時のサーモクロミズム現象の影響を小さくすることもできる。
【０１０９】
実施形態４．
実施形態４において、実施形態１〜３と同一の構成については同一の符号を付記し、その説明については省略する。実施形態４においては、実施形態１〜３と比べ、加湿ユニット５５０及び電荷付与ユニット５００の配置箇所が異なる。
【０１１０】
図１３は、本発明の実施形態４における画像形成システム１の全体構成例を示す図である。図１３に示すように、画像形成システム１は、画像読取装置４の上流側且つ画像形成装置３の下流側に、電荷付与ユニット５００が配置され、画像読取装置４の下流側に、加湿ユニット５５０が配置されている。
【０１１１】
よって、画像読取装置４を通過した後の用紙の帯電むらを均一化することができる。したがって、後処理に移行する前に高い除電効果を得ることができる。
【０１１２】
実施形態５．
実施形態５において、実施形態１〜４と同一の構成については同一の符号を付記し、その説明については省略する。実施形態５においては、実施形態１〜４と比べ、加湿ユニット５５０及び電荷付与ユニット５００の何れか一方と、画像読取装置４との間に、別の装置が挟まれている点が異なる。
【０１１３】
図１４は、本発明の実施形態５における画像形成システム１の全体構成例を示す図である。図１４に示すように、画像読取装置４と、電荷付与ユニット５００との間には、後処理装置９ａが配置され、画像読取装置４と、加湿ユニット５５０との間には、後処理装置９ｂが配置されている。後処理装置９ａは、例えば、デカーラ−を行う機能が実装されている。後処理装置９ｂは、例えば、中継搬送を行う機能が実装されている。
【０１１４】
つまり、画像読取装置４の上流側且つ画像形成装置３の下流側に、加湿ユニット５５０及び電荷付与ユニット５００のうち何れか一方が配置され、画像読取装置４の下流側に、加湿ユニット５５０及び電荷付与ユニット５００のうち何れか他方が配置されている。
【０１１５】
よって、画像読取装置４の上流側に加湿ユニット５５０が配置され、画像読取装置４の下流側に電荷付与ユニット５００が配置されている場合、画像読取装置４に用紙が搬送される前に、用紙が加湿される。したがって、加湿により用紙のカールが低減されるため、摩擦帯電が抑制されつつ、加湿により用紙が冷却されるため、画像を読み取り時のサーモクロミズム現象の影響を小さくすることもできる。
【０１１６】
一方、画像読取装置４の上流側に電荷付与ユニット５００が配置され、画像読取装置４の下流側に加湿ユニット５５０が配置されている場合、画像読取装置４を通過した後の用紙の帯電むらを均一化することができる。よって、後処理に移行する前に高い除電効果を得ることができる。
【０１１７】
以上、本発明に係る画像形成システム１を実施形態に基づいて説明したが、本発明はこれに限定されるものではなく、本発明の趣旨を逸脱しない範囲で、変更を加えてもよい。
【０１１８】
例えば、本実施形態においては、除電装置５が単体で存在する一例について説明したが、特にこれに限定されるものではない。例えば、除電装置５は、画像読取装置４等の内部に組み込まれるものであってもよい。
【０１１９】
また、除電装置５と、後処理装置６と、排紙装置７とがそれぞれ配置される一例について説明したが、これに限らず、除電装置５の機能と、後処理装置６の機能と、排紙装置７の機能とを搭載した１つの装置が画像読取装置４の下流側に配置されてもよい。
【０１２０】
また、画像読取信号Ｓｏｕｔが、Ｒ色、Ｇ色、及びＢ色成分を含むデジタルの画像データとしてＲＧＢ表色系で定まる一例について説明したが、これに限らず、ＣＩＥＬＡＢ色空間で表されるような異なる系で定まるものであってもよい。
【符号の説明】
【０１２１】
１          画像形成システム
２          給紙装置
３          画像形成装置
４          画像読取装置
５          除電装置
５００      電荷付与ユニット
５０１，５０１ａ，５０１ｂ        第１付与ローラー
５０１’，５０１ａ’，５０１ｂ’  第２付与ローラー
５０３                      付与電源
５５０      加湿ユニット
５５１      第１加湿部
５５１’    第２加湿部
５６１      第１貯水部
５６１’    第２貯水部
５６２      第１加湿ローラー
５６２’    第２加湿ローラー
５６３      第１伝達部
５６３’    第２伝達部
５７１      第１水供給部
５７１’    第２水供給部
５７２      第１給水ローラー
５７２’    第２給水ローラー
５７３      第１水切りローラー
５７３’    第２水切りローラー
５８１      通紙経路
５８３      通紙ローラー
６          後処理装置
７          排紙装置
８          排紙トレイ
１１        画像形成装置本体
１２        画像読取部
１２１      第１のプラテンガラス
１２２      第２のプラテンガラス
１２３      光源
１２４〜１２６  ミラー
１２７      結像光学部
１２８      イメージセンサー
１４        自動原稿送り装置
１４１      原稿載置部
１４２ａ，１４２ｂ，１４３，１４４  ローラー
１４５      反転部
１４６      排紙皿
２０        給紙部
２００      給紙カセット
２０１      送り出しローラー
３０        搬送部
３００      搬送経路
３０２Ａ    給紙ローラー
３０２Ｂ，３０２Ｃ，３０２Ｄ  搬送ローラー
３０３      レジストローラー
３０４      排紙ローラー
３０６      分岐部
３０７Ａ    循環通紙路
３０７Ｂ    反転搬送路
３０７Ｃ    再給紙搬送路
４１        制御部
４３        画像処理部
６０        画像形成部
６０１，６０１Ｙ，６０１Ｍ，６０１Ｃ，６０１Ｋ  画像形成ユニット
６１１Ｙ，６１１Ｍ，６１１Ｃ，６１１Ｋ          ＬＥＤ書き込みユニット
６１２Ｙ    現像部
６１３，６１３Ｙ，６１３Ｍ，６１３Ｃ，６１３Ｋ  感光ドラム
６１４Ｙ    帯電部
６１６Ｙ    クリーニング部
６２０      中間転写部
６２１      中間転写ベルト
６２２，６２２Ｙ，６２２Ｍ，６２２Ｃ，６２２Ｋ  一次転写ローラー
６２３      二次転写ローラー
６２４      ベルトクリーニング装置
６３０      定着部
６３１      加熱ローラー
６３２      加圧ローラー
６３３      加熱部
７１        制御部
７００      通紙経路
７０１      スキャナー
７０１ａ    第１のスキャナー
７０１ｂ    第２のスキャナー
７０３      測色計
７０５，７０５ａ〜７０５ｃ      校正部
７０７      端部検知部
７３１      搬送ローラー
７４１      可動コロ
７４２      固定コロ
７４３      対物ガラス部
７４４      通紙ガイド部
７４５      光源部
８０１ａ，８０１ｂ      搬送ローラー
８１        位置決め検知部
８３        温度検知部
９ａ，９ｂ  後処理装置
Ｐ          紙媒体
Ｐ’        出力紙
Ｔ          原稿
Ｘ          読取位置
【図１】
2018045159.tif 000003
【図２】
2018045159.tif 000004
【図３】
2018045159.tif 000005
【図４】
2018045159.tif 000006
【図５】
2018045159.tif 000007
【図６】
2018045159.tif 000008
【図７】
2018045159.tif 000009
【図８】
2018045159.tif 000010
【図９】
2018045159.tif 000011
【図１０】
2018045159.tif 000012
【図１１】
2018045159.tif 000013
【図１２】
2018045159.tif 000014
【図１３】
2018045159.tif 000015
【図１４】
2018045159.tif 000016
【図１５】
2018045159.tif 000017